(57)【要約】【課題】火炎に晒された際に戸先と枠体とが貫通しにくい防火用建具を提供する。【解決手段】室内外を連通する開口を形成する金属製の枠体と、前記開口を閉塞可能な引戸と、を有する防火用建具であって、前記引戸は、前記枠体と対向する枠体対向部を備えて前記引戸本体との間に空隙を形成する金属製の戸先部材を有し、前記枠体は、前記引戸と対向する戸先対向部を備えて前記戸先部材が挿入される枠側挿入凹部と、前記戸先対向部に設けられ、前記引戸側に向かって突出する突出部、および、前記突出部の先端に見込み方向に突出する突起、を有する枠突出部材と、を有し、前記枠体対向部には、前記引戸により前記開口を閉じたときに前記枠突出部材が挿入される引戸側挿入部が設けられており、前記戸先対向部及び前記枠体対向部の少なくともいずれか一方に、加熱されて前記枠体と前記戸先部材との間にて発泡する加熱発泡材が設けられている。【選択図】図５
2017082538.tif 000002
【特許請求の範囲】
【請求項１】
室内外を連通する開口を形成する金属製の枠体と、前記開口を閉塞可能な引戸と、を有する防火用建具であって、
前記引戸は、前記枠体と対向する枠体対向部を備えて前記引戸本体との間に空隙を形成する金属製の戸先部材を有し、
前記枠体は、
前記引戸と対向する戸先対向部を備えて前記戸先部材が挿入される枠側挿入凹部と、
前記戸先対向部に設けられ、前記引戸側に向かって突出する突出部、および、前記突出部の先端に見込み方向に突出する突起、を有する枠突出部材と、
を有し、
前記枠体対向部には、前記引戸により前記開口を閉じたときに前記枠突出部材が挿入される引戸側挿入部が設けられており、
前記戸先対向部及び前記枠体対向部の少なくともいずれか一方に、加熱されて前記枠体と前記戸先部材との間にて発泡する加熱発泡材が設けられていることを特徴とする防火用建具。
【請求項２】
請求項１に記載の防火用建具であって、
前記枠突出部材は、前記枠側挿入凹部より前記枠体の内周側に突出していることを特徴とする防火用建具。
【請求項３】
請求項１または請求項２に記載の防火用建具であって、
前記突出部と前記突起との段差をなくす合成樹脂製の枠突出部材カバーを備えていることを特徴とする防火用建具。
【請求項４】
請求項１乃至請求項３のいずれかに記載の防火用建具であって、
前記突起として、
前記戸先対向部における室外側に偏った位置にて室外側に突出する外突起と、
前記戸先対向部における室内側に偏った位置にて室内側に突出する内突起と、
を有することを特徴とする防火用建具。
【請求項５】
請求項１乃至請求項４のいずれかに記載の防火用建具であって、
前記枠突出部材は、金属製のビスであることを特徴とする防火用建具。
【発明の詳細な説明】
【技術分野】
【０００１】
本発明は、室内外を連通する開口を形成する枠体と開口を閉塞可能な引戸とを有する防火用建具に関する。
【背景技術】
【０００２】
室内外を連通する開口を形成する枠体と開口を閉塞可能な引戸とを有する防火用建具としては、例えば、枠体と、枠体にスライド自在に支持される障子とを備えた建具が知られている（例えば、特許文献１参照）。この建具は、障子を全閉状態にした際に、障子の戸先框が当接する枠体と、戸先框および枠体を互いに係止する係止機構とを有しており、係止機構は、戸先框および枠体の一方の部材に設けられた係止部材と、他方の部材に設けられた受け部とを有している。障子は、開口が閉塞された状態では、戸先框が枠体に設けられて外周側に窪む凹部に挿入されている。そして通常は一方の部材に設けられ係止部材より融点が低い材質の規制部材により規制されて係止部材が受け部に係止されない規制位置に配置されており、規制部材が溶融した際には、係止部材が一方の部材に設けられたガイド溝に沿って自重により規制位置から受け部に係止される係止位置に移動することが知られている。
【先行技術文献】
【特許文献】
【０００３】
【特許文献１】特開２０１３−１８９７５６号公報
【発明の概要】
【発明が解決しようとする課題】
【０００４】
引戸は、火炎に晒されると、枠体から離れる方向に移動し、枠体の凹部から戸先框が抜け出る虞がある。このとき加熱された引戸に反りが生じた場合には、反りが生じた引戸の戸先部分と枠体との間に隙間が生じて火炎が貫通してしまう虞がある。また、上記建具のように、規制部材が溶融した際に自重によりガイド溝に沿って係止位置に移動した係止部材が受け部に係止される構成であっても、規制部材が戸先框と枠体とに囲まれているので、火炎に晒されたとしても熱が伝わり難く、直接火炎に晒される場合より溶融するまでの時間が長くかかる。このため、規制部材が溶融されるより先に戸先框が枠体の凹部から抜け出てしまい、戸先框と枠体との間が貫通してしまう虞があるという課題があった。
【０００５】
本発明は、かかる課題に鑑みてなされたものであり、その目的とするところは、簡単な機構で、火炎に晒された際に戸先と枠体との間が貫通しにくい防火用建具を提供することにある。
【課題を解決するための手段】
【０００６】
かかる目的を達成するために本発明の防火用建具は、室内外を連通する開口を形成する金属製の枠体と、前記開口を閉塞可能な引戸と、を有する防火用建具であって、前記引戸は、前記枠体と対向する枠体対向部を備えて前記引戸本体との間に空隙を形成する金属製の戸先部材を有し、前記枠体は、前記引戸と対向する戸先対向部を備えて前記戸先部材が挿入される枠側挿入凹部と、前記戸先対向部に設けられ、前記引戸側に向かって突出する突出部、および、前記突出部の先端に見込み方向に突出する突起、を有する枠突出部材と、を有し、前記枠体対向部には、前記引戸により前記開口を閉じたときに前記枠突出部材が挿入される引戸側挿入部が設けられており、前記戸先対向部及び前記枠体対向部の少なくともいずれか一方に、加熱されて前記枠体と前記戸先部材との間にて発泡する加熱発泡材が設けられていることを特徴とする防火用建具である。
【０００７】
このような防火建具によれば、枠体の、戸先部材が挿入される枠側挿入凹部が有する戸先対向部に設けられた枠突出部材が引戸側に向かって突出しており、戸先部材には引戸により開口を閉じたときに枠突出部材が挿入される引戸側挿入部が金属製の戸先部材に設けられているので、引戸に反りが生じたとしても、引戸側挿入部が枠突出部材に係合して引戸の見込み方向の移動を規制することが可能である。このため枠体と戸先との間に隙間が発生することを抑えることが可能である。
【０００８】
また、枠突出部材には、突出部の先端に見込み方向に突出する突起が設けられており、引戸側挿入部を有する引戸本体との間には空隙が形成されているので、引戸に反りが生じた場合や引戸が見込み方向に移動した場合には、枠突出部材の突起が引戸側挿入部の縁の戸尻側の空隙に入り込むので、引戸が枠体から離れる方向にも移動が規制される。さらに、戸先対向部及び枠体対向部の少なくともいずれか一方に加熱発泡材が設けられているので、たとえ、枠体と戸先部材との間隔が開いたとしても枠体と戸先部材との間は発泡した加熱発泡材により埋めることが可能である。このため、簡単な機構で、火炎に晒された際に戸先部材と枠体との間が貫通しにくい防火用建具を提供することが可能である。
【０００９】
かかる防火用建具であって、前記枠突出部材は、前記枠側挿入凹部より前記枠体の内周側に突出していることが望ましい。
このような防火建具によれば、枠体の、戸先部材が挿入される枠側挿入凹部が有する戸先対向部に設けられた枠突出部が引戸側に向かって枠側挿入凹部より突出しているので、戸先部材が枠側挿入凹部から抜け出たとしても、引戸側挿入部が枠突出部材に係合して引戸の見込み方向への移動を規制することが可能である。
【００１０】
かかる防火用建具であって、前記突出部と前記突起との段差をなくす合成樹脂製の枠突出部材カバーを備えていることが望ましい。
このような防火用建具によれば、枠突出部材カバーが備えられているので、突出部と突起との段差は外部に露出しない。このため、段差に人が接触することを防止することが可能である。また、枠突出部材カバーは合成樹脂製なので、引戸に反りが生じる程加熱された場合には枠突出部材カバーは溶融して段差が露出される。このため、火炎等に晒された場合には、枠突出部材の突起と引戸側挿入部とが係合して枠体と戸先部材との間が広がることを抑えることが可能である。
【００１１】
かかる防火用建具であって、前記突起として、前記戸先対向部における室外側に偏った位置にて室外側に突出する外突起と、前記戸先対向部における室内側に偏った位置にて室内側に突出する内突起と、を有することが望ましい。
このような防火用建具によれば、枠突出部材の先端には、戸先対向部の室外側に偏った位置と室内側に偏った位置とのいずれにも突起が設けられているので、引戸が室内側または室外側のいずれの側に膨らむような反りが生じたり、引戸がいずれの側に移動したりしたとしても、より早く反りや移動を規制することが可能である。
【００１２】
かかる防火用建具であって、前記枠突出部材は、金属製のビスであることが望ましい。
このような防火用建具によれば、枠突出部材は、金属製のビスなので、ビスを戸先対向部に、ねじ部が露出するように先端側のみ締め込むことだけで、ビスのねじ部を突出部とし、頭部を突起とする枠突出部材を、枠体に容易に設けることが可能である。
【発明の効果】
【００１３】
本発明によれば、簡単な機構で、火炎に晒されても枠体と表面材との間に隙間が生じ難い防火戸を提供することが可能である。
【図面の簡単な説明】
【００１４】
【図１】本実施形態に係る防火用建具を示す正面図である。
【図２】枠体に設けられたビス及び突出ブロックを示す斜視図である。
【図３】玄関引戸を閉じた状態の縦枠と戸先部とを示す横断面図である。
【図４】戸先部材に設けられた孔部材を示す斜視図である。
【図５】熱膨張性黒鉛が発泡した状態の縦枠と戸先部とを示す横断面図である。
【図６】ビス及び突出ブロックの変形例を示す横断面図である。
【発明を実施するための形態】
【００１５】
以下、本発明の一実施形態に係る防火用建具について図面を参照して説明する。
本実施形態においては、防火用建具として、例えば図１に示すような、屋内外を仕切る玄関引戸１０を備えた防火用建具１を例に挙げて説明する。
【００１６】
以下の説明においては、玄関引戸１０が枠体２０に取り付けられる状態を室外側から見たときに、上下となる方向を上下方向、左右となる方向を左右方向、室内外方向である奥行き方向を見込み方向として示す。また、玄関引戸１０の各部位であっても、また、玄関引戸１０を構成する各部材については単体の状態であっても、玄関引戸１０が取り付けられた状態で上下方向、左右方向、見込み方向となる方向にて方向を特定して説明する。
【００１７】
本実施形態の防火用建具１は、室内外を連通する開口１ａを形成するアルミニウム製の枠体２０と、開口１ａを閉塞可能な玄関引戸１０と、を有している。枠体２０は、押し出し成形部材でなり上下に位置する横枠２１と左右に位置する縦枠２２とを有している。
【００１８】
枠体２０に囲まれた領域は左右方向における略中央で方立（不図示）により分けられており、左側の領域は袖壁部材２３により塞がれている。また、枠体２０に囲まれた領域の右側は上下の横枠２１と右側の縦枠２２及び方立により囲まれた開口１ａをなし、開口１ａは玄関引戸１０により閉塞可能に構成されている。このため、枠体２０の見込み方向における室内側に袖壁部材２３と開口１ａとが設けられており、室外側にて玄関引戸１０が左右方向に移動可能に構成されている。本実施形態の玄関引戸１０は、上の横枠２１に吊り下げられた状態で左右方向に移動し、玄関引戸１０の下端部は下の横枠２１に設けられたガイド部（不図示）により玄関引戸１０の下端側が見込み方向に振れないように規制されている。
【００１９】
枠体２０の右側の縦枠２２は、玄関引戸１０の後述する戸先部材１４と対向する戸先枠２２ａであり、玄関引戸１０が開口１ａを閉塞したときに、玄関引戸１０の戸先部材１４が挿入される枠側挿入凹部２２２ａを有している。
【００２０】
より具体的には、図２、図３に示すように、枠体２０は、防火用建具１が取り付けられる外壁(不図示)より室外側に突出させて設けられており、戸先枠２２ａの建物側に戸先枠２２ａを躯体に固定するための躯体固定部２２１を有し、建物の外壁より突出し、中空部を有する枠本体部２２２を有している。そして、戸先枠２２ａにおいて枠体２０の内周側の面、すなわち玄関引戸１０側の面に、枠側挿入凹部２２２ａが設けられている。
【００２１】
枠側挿入凹部２２２ａは、枠体２０の外周側に窪む矩形状の凹部であり、枠側挿入凹部２２２ａを形成し、室内側に向く部位に軟質樹脂製の目隠し部材２２２ｂと、室外側に向く部位に軟質樹脂製のシール部材２２２ｃと、がそれぞれ嵌合されている。目隠し部材２２２ｂとシール部材２２２ｃとは、戸先枠２２ａの開口１ａを形成する部位の略全域に渡って設けられており、互いに対向する側に設けられたヒレ状の部位が、開口１ａを閉塞して枠側挿入凹部２２２ａに挿入された、玄関引戸１０の戸先部材１４にそれぞれ接触するように構成されている。
【００２２】
枠側挿入凹部２２２ａを形成し、玄関引戸１０の戸先部１０ａと対向する戸先対向部２２３には、上下方向の中央近傍に、玄関引戸１０側に向かって突出し合成樹脂製のブロック状をなす枠突出部材カバーとしての突出ブロック２２６が、枠突出部材としての金属製の２本のビス２２４が戸先対向部２２３の裏側に設けられたプレートナット２４に螺合されることにより固定されている。２本のビス２２４は、戸先対向部２２３の見込み方向における略中央に上下に並べて設けられている。また、戸先対向部２２３において突出ブロック２２６が設けられていない部位には、加熱されて発泡する加熱発泡材としての熱膨張性黒鉛２２５が設けられている。
【００２３】
ビス２２４は、突出ブロック２２６を貫通すると共に、ねじ部２２４ａより外径が大きな頭部２２４ｂが突出ブロック２２６の外部に突出しないように突出ブロック２２６内に納められている。ビス２２４は、突出ブロック２２６を固定している状態で、ねじ部２２４ａが枠側挿入凹部２２２ａより枠体２０の内周側に至るように突出し、頭部２２４ｂは枠側挿入凹部２２２ａより枠体２０の内周側に位置している。ここで、ビス２２４のねじ部２２４ａが玄関引戸１０側に向かって突出する突出部に相当し、頭部２２４ｂが突出部の先端に見込み方向に突出する突起に相当する。
【００２４】
玄関引戸１０は、四周を囲む鋼製の骨材１１と、骨材１１の屋内側に設けられる金属製の内表面材１２と、骨材１１の屋外側に設けられる金属製の外表面材１３と、骨材１１の戸先側に設けられた金属製の戸先部材１４と、を有している。
【００２５】
図１に示す玄関引戸１０には、左右方向における中央近傍に玄関引戸１０の長手方向、すなわち玄関引戸１０が建物等に取り付けられた状態における上下方向に沿って複層ガラス等を装着可能な中枠部１５が備えられているが、中枠部１５は必ずしも備えられていなくともよい。
【００２６】
骨材１１は、鋼板を断面がコ字状をなすように加工した４本の枠部材を矩形状に接合して形成されている。内表面材１２と外表面材１３とは、外周部分において端部が折り曲げられて骨材１１に重ねられて固定されている。
【００２７】
骨材１１の戸先側における玄関引戸１０の外周部、すなわち厚み方向に沿う見込面には、金属製の戸先部材１４が全長に渡って設けられている。戸先部材１４は、アルミニウム製の押し出し成形部材でなり、戸先枠２２ａと対向する見込み面を形成する枠体対向部１４ａと、枠体対向部１４ａの室外側の縁から戸先枠２２ａ側に向かって延出された枠体側外延出部１４ｂと、枠体側外延出部１４ｂの戸先枠２２ａ側の縁から室外側に延出された室外延出部１４ｃと、室外延出部１４ｃの室外側の縁から戸尻側に延出された室外面延出部１４ｄと、枠体対向部１４ａの室内側の縁から戸先枠２２ａ側に向かって延出された枠体側内延出部１４ｅと、枠体対向部１４ａの室内側の縁から戸尻側に延出された室内面延出部１４ｆと、を有している。
【００２８】
枠体対向部１４ａには、戸尻側に向かって突出する２つの突起片１４ｇが上下方向に沿って設けられており、玄関引戸１０を閉じたときに突出ブロック２２６及びビス２２４が挿入される引戸側挿入部としての挿入孔１４ｈが設けられている。
【００２９】
戸先部材１４は、突起片１４ｇが戸先側の骨材１１の見込み面に当接された状態で当該骨材１１に固定されている。戸先部材１４が骨材１１に固定された状態では、室内面延出部１４ｆが、内表面材１２が見込み方向に折り曲げられて骨材１１の見込み面と重なる部位に当接され、室外面延出部１４ｄは、外表面材１３に室外側から接触するように配置される。このため、枠体対向部１４ａは、突起片１４ｇにより戸先側の骨材１１の見込み面と間隔が隔てられており、枠体対向部１４ａに設けられた挿入孔１４ｈの縁部の戸尻側には空隙Ｓが設けられている。
【００３０】
また、図３、図４に示すように、戸先部材１４には、枠体対向部１４ａと、枠体側外延出部１４ｂと、枠体側内延出部１４ｅとにより形成される戸尻側に窪む部位に、挿入孔１４ｈとほぼ同じサイズの孔１６ａが設けられ、孔１６ａが挿入孔１４ｈと重なるように配置される合成樹脂製の孔部材１６が固定されている。
【００３１】
本実施形態の防火用建具１は、開口１ａを閉塞するように玄関引戸１０を閉じると、玄関引戸１０の戸先部材１４が戸先枠２２ａの枠側挿入凹部２２２ａに挿入されるとともに戸先枠２２ａ側に設けられた突出ブロック２２６及びビス２２４が、玄関引戸１０の孔部材１６の孔１６ａ及び戸先部材１４の挿入孔１４ｈに挿入される。
【００３２】
玄関引戸１０が閉じられた状態で、例えば室外側または室内側から火炎に晒されると、玄関引戸１０は戸先部材１４が挿入されている戸先枠２２ａから離れる方向に移動しつつ、火炎側の部材が膨張することにより上下方向の中央近傍が火炎側に膨れるように反りが生じる。
【００３３】
このとき、火炎により加熱されて突出ブロック２２６が溶融され、玄関引戸１０の反りにより火炎側に移動することにより挿入孔１４ｈが火炎側に移動する。そして、図５に示すように、挿入孔１４ｈの縁が、溶融されて突出ブロック２２６がなくなって剥き出しとなったビス２２４のねじ部２２４ａと係合し、玄関引戸１０の火炎側への移動が規制される。
【００３４】
その後更に玄関引戸１０が戸先枠２２ａから離れることにより、ビス２２４が挿入孔１４ｈから抜ける方向に移動することにより挿入孔１４ｈの縁がビス２２４の頭部２２４ｂと係合して玄関引戸１０の戸尻側への移動が規制される。更にこのとき、戸先枠２２ａの戸先対向部２２３に設けられている熱膨張性黒鉛２２５が発泡することにより、戸先枠２２ａと玄関引戸１０の戸先部材１４との隙間が発泡した熱膨張性黒鉛２２５により閉塞される。
【００３５】
本実施形態の防火用建具１によれば、戸先枠２２ａの、戸先部材１４が挿入される枠側挿入凹部２２２ａが有する戸先対向部２２３に設けられたビス２２４が玄関引戸１０側に向かって突出しており、戸先部１０ａには玄関引戸１０により開口１ａを閉じたときにビス２２４が挿入される挿入孔１４ｈが金属製の戸先部材１４に設けられているので、玄関引戸１０に反りが生じたとしても、挿入孔１４ｈの縁がビス２２４に係合して見込み方向の移動を規制することが可能である。このため戸先枠２２ａと戸先部材１４との隙間の発生を抑えることが可能である。
【００３６】
また、戸先対向部２２３に設けられたビス２２４は、玄関引戸１０により開口１ａを閉じた状態で挿入孔１４ｈに挿入されているので、玄関引戸１０が閉じていれば、玄関引戸１０に反りが生じたときに、挿入孔１４ｈの縁がビス２２４に係合して、玄関引戸１０の見込み方向の移動が規制される。すなわち、本実施形態の防火用建具１は、前述した従来の建具のように、規制部材の溶融に基づいて移動が規制される規制構造ではないので、経年により規制部材が劣化して不用意に作動してしまう、或いは、人が誤って触れて誤作動してしまうことはない。
【００３７】
また、ビス２２４には、突出部としてのねじ部２２４ａの先端をなす頭部２２４ｂが全周においてねじ部２２４ａより突出している。すなわち、ビス２２４の頭部２２４ｂは見込み方向に突出する突起をもなしており、挿入孔１４ｈの縁部には、その戸尻側に空隙Ｓが設けられているので、玄関引戸１０に反りが生じた場合や玄関引戸１０が見込み方向に移動した場合であっても、ビス２２４の頭部２２４ｂと挿入孔１４ｈの縁部とが係合し、玄関引戸１０が戸先枠２２ａから離れる方向にも移動が規制される。
【００３８】
さらに、戸先対向部２２３に熱膨張性黒鉛２２５が設けられているので、たとえ、戸先枠２２ａと戸先部材１４との間に隙間が生じても戸先枠２２ａと戸先部材１４との間を発泡したに熱膨張性黒鉛２２５により隙間を埋めることが可能である。このため、火炎に晒された際に戸先部材１４と戸先枠２２ａとの間が貫通しにくい防火用建具１を提供することが可能である。
【００３９】
また、戸先枠２２ａの、戸先部材１４が挿入される枠側挿入凹部２２２ａが有する戸先対向部２２３に設けられたビス２２４が玄関引戸１０側に向かって枠側挿入凹部２２２ａより内周側に突出しているので、戸先部１０ａが枠側挿入凹部２２２ａから抜け出たとしても、挿入孔１４ｈの縁にビス２２４が係合して見込み方向の移動を規制することが可能である。
【００４０】
また、ビス２２４は玄関引戸１０側に向かって枠体２０の内周側に突出しているが、ビス２２４には突出ブロック２２６が備えられているので、ねじ部２２４ａと頭部２２４ｂとの段差は外部に露出しない。このため、たとえ人が出入りする開口１ａであったとしても人が段差に接触することを防止することが可能である。また、突出ブロック２２６は合成樹脂製なので、玄関引戸１０に反りが生じる程加熱される場合には突出ブロック２２６は溶融して段差が露出される。このため、火炎等に晒された場合には、ビス２２４の頭部２２４ｂと挿入孔１４ｈの縁部とが係合して戸先枠２２ａと戸先部材１４との隙間の発生を抑えることが可能である。
【００４１】
また、戸先対向部２２３に設けられ、玄関引戸１０側に向かって突出する枠突出部材を金属製のビス２２４としたので、ビス２２４を戸先対向部２２３に、ねじ部２２４ａが露出するように先端側のみ締め込むことだけで、ビス２２４のねじ部２２４ａを突出部とし、頭部２２４ｂを突起とするビス２２４を、戸先枠２２ａに容易に設けることが可能である。また、本実施形態では、頭部２２４ｂが皿状をなす更ビスを用いたので、挿入孔１４ｈの縁がビス２２４の頭部２２４ｂと係合した際には、玄関引戸１０をより戸先枠２２ａ側に案内することが可能である。本実施形態においては枠突出部材をビスとしたが、先端が戸先対向部２２３側より拡径されていれば、ビスに限るものではない。
【００４２】
本実施形態においては、戸先対向部２２３に熱膨張性黒鉛２２５が設けられている例について説明したが、熱膨張性黒鉛２２５は、枠体対向部１４ａに設けられている、或いは、戸先対向部２２３及び枠体対向部１４ａのいずれにも設けられていても良い。
【００４３】
上記実施形態においては、玄関引戸１０に反りが生じた場合や玄関引戸１０が見込み方向に移動した場合に、ビス２２４と挿入孔１４ｈの縁部とが係合する例を挙げて説明したが、ビス等の枠突出部材と係合する部位は、枠体対向部に設けられて、玄関引戸により開口を閉じたときに枠突出部材が挿入される部位であれば構わない。
【００４４】
上記実施形態においては、戸先対向部２２３の見込み方向における中央付近に突出ブロック２２６を上下に並ぶ２本のビス２２４により固定していた例について説明したが、これに限るものではない。例えば、戸先対向部２２３に、見込み方向に間隔を隔てた位置に２本のビス２２４が固定されていても良い。この場合には、各ビス２２４の段差が外部に露出しないように、各々に突出ブロック２２６を備える、或いは、２本のビス２２４の段差がいずれも外部に露出しないような一体の突出ブロックを備えている。
【００４５】
２本のビス２２４は、例えば戸先対向部２２３の見込み方向における中央から振り分けて、室内側および室外側にそれぞれ偏った位置に設けられている。このとき室外側のビス２２４の頭部２２４ｃが外突起に相当し、室内側のビス２２４の頭部２２４ｄが内突起に相当する。
【００４６】
この場合には、玄関引戸１０が室外側に膨らむような反りが生じた、或いは、玄関引戸１０が室外側に移動したときには室外側のビス２２４の頭部２２４ｃと挿入孔１４ｈの縁部とが係合する。また、玄関引戸１０が室内側に膨らむような反りが生じた、或いは、玄関引戸１０が室内側に移動したときには室内側のビス２２４の頭部２２４ｄと挿入孔１４ｈの縁部とが係合する。このため、玄関引戸１０が加熱されて反りが生じた際、及び、移動した際には、ビス２２４が上下に並ぶ２本の場合より、早くビス２２４と挿入孔１４ｈの縁部とが係合するので、より早く玄関引戸１０の反り及び移動を規制でき、生じる隙間を小さく抑えることが可能である。
【００４７】
上記実施形態においては、ビス等の枠突出部と挿入孔１４ｈ等の引戸側挿入凹部とが係合する部位が、玄関引戸１０の上下方向における中央部に設けられている例について説明したが、これに限るものではない。例えば、玄関引戸１０の上下方向における中央部の他に、上下の端部側にそれぞれ、または、上下のいずれか一方に設けられていても構わない。また、玄関引戸の上下方向における中央と上端部および中央と下端部との間にそれぞれ設けられていても構わない。
【００４８】
上記実施形態においては引戸を玄関引戸１０としたが、これに限らず、開口１ａを閉塞可能な耐火性を備えた引戸であれば構わない。
上記実施形態においては、加熱発泡材を熱膨張性黒鉛１０としたが、加熱されて膨張する耐火材であれば、熱膨張性黒鉛に限るものではない。
【００４９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５０】
１  防火用建具、１ａ  開口、１０  玄関引戸、１４  戸先部材、１４ａ  枠体対向部、１４ｈ  挿入孔、２０  枠体、２２ａ  戸先枠、２２２ａ  枠側挿入凹部、
２２３  戸先対向部、２２４  ビス、２２４ａ  ねじ部、２２４ｂ  頭部、
２２４ｃ  頭部、２２４ｄ  頭部、２２５  熱膨張性黒鉛、２２６  突出ブロック、
Ｓ  空隙
【図１】
2017082538.tif 000003
【図２】
2017082538.tif 000004
【図３】
2017082538.tif 000005
【図４】
2017082538.tif 000006
【図５】
2017082538.tif 000007
【図６】
2017082538.tif 000008